(57)【要約】    【課題】  テグスを挿通させた棒状擬餌体を有するイカ釣針において、挿通されるテグスの固定作業にかかる労力・時間を削減することのできるイカ釣針を提供すること。    【解決手段】  本イカ釣針は、下部に針体４が固定された棒状の擬餌体１の上半部および下半部にそれぞれ、テグス９を挿通するための貫通孔２Ａ、２Ｂ、貫通孔孔３Ａ、３Ｂが設けられてなり、上半部に設けられる貫通孔は２Ａ、２Ｂのように二個以上であることを、主たる構成とする。下半部の貫通孔３Ａ、３Ｂは、針体４よりも中央寄りに設けることができる。【選択図】  図３
2005245237.tif 000002
【特許請求の範囲】
【請求項１】
下部に針体が固定された棒状の擬餌体の上半部および下半部にそれぞれ、テグスを挿通するための貫通孔が設けられてなるイカ釣針であって、該上半部に設けられる該貫通孔は二個以上であることを特徴とする、イカ釣針。
【請求項２】
前記貫通孔は、上半部には二個、下半部には一個または二個設けられていることを特徴とする、請求項１に記載のイカ釣針。
【請求項３】
前記上半部の貫通孔は、前記擬餌体の上端部に設けられていることを特徴とする、請求項１または２に記載のイカ釣針。
【請求項４】
前記擬餌体下半部の貫通孔は、前記針体よりも上側に設けられていることを特徴とする、請求項１ないし３のいずれかに記載のイカ釣針。
【請求項５】
前記擬餌体中で前記針体の設けられる部位もしくはそれよりも端部側に、前記貫通孔を通されて該擬餌体外にあるテグスを遊びがある状態で通すことのできる遊挿部材が付設されていることを特徴とする、請求項４に記載のイカ釣針。
【請求項６】
前記遊挿部材は環状の部材であることを特徴とする、請求項５に記載のイカ釣針。
【請求項７】
一本のテグスが前記上半部の全ての貫通孔に挿通され、さらに前記下半部の全ての貫通孔に挿通されていることを特徴とする、請求項１ないし６のいずれかに記載のイカ釣針。
【請求項８】
前記テグスはその長さが１ｍ以上１０ｍ以下であることを特徴とする、請求項７に記載のイカ釣針。
【発明の詳細な説明】
【技術分野】
【０００１】
本発明はイカ釣針に係り、特に、棒状の擬餌体と傘状の針体を有し、機械釣りに用いることのできるイカ釣針に関する。
【背景技術】
【０００２】
棒状の擬餌体と傘状の針体を有するイカ釣針を用いた機械釣りにおいて、巻き揚げ機による引き上げ作業の際に、イカ釣針が破損して上下に分断してしまい、釣れたイカの流失が生じるという問題がある。
【０００３】
図８は、引き上げ作業の状況を示す説明図である。巻き揚げ機６０により巻き取られるテグス５９に付けられたイカ釣針５１は、ローラ３０の周面を通過する際、巻き揚げ機６０方向と海中の釣りイカやオモリの荷重方向双方の力を受けて屈曲するが、この屈曲部分に応力が集中するために破損が生じるものである。
【０００４】
かかる問題を解決するために、本願出願人は先に、イカ釣針が破損した場合であっても釣られたイカの流失を防止する手段として、テグスを擬餌体の上下部二箇所に挿通してなるイカ釣針を考案し、これを開示した（特許文献１）。
【０００５】
【特許文献１】実開平０２−６４５８号公報。「いか釣針」。実用新案登録請求の範囲、実施例、図１。
【発明の開示】
【発明が解決しようとする課題】
【０００６】
特許文献１に開示した考案はその所期の目的を充分に達成し、イカ釣針が破損しても釣られたイカの流失を効果的に防止することができるものである。しかしながら、擬餌体上下部計二箇所にテグスを挿通する際の結着には相当の労力と時間を要する。また、イカの流失をいかに防止できるとはいえ、釣針の破損が少ない方がよいことはいうまでもない。
【０００７】
さらに、針間の間隔調整が容易な構成とは必ずしもいえず、この点も改善の余地がある。
【０００８】
本発明が解決しようとする課題は、上記従来技術の問題点を除き、テグスを挿通させた棒状擬餌体を有するイカ釣針において、挿通されるテグスの固定作業にかかる労力・時間を削減することのできるイカ釣針を提供することである。また、それに加えて破損発生を防止ないしは相当低減できるイカ釣針を提供することである。
【０００９】
さらに、擬餌体にテグスを確実かつ容易に固定できるとともに、針間の間隔調整をも容易とすることのできるイカ釣針を提供することである。
【課題を解決するための手段】
【００１０】
本願発明者は上記課題について検討した結果、擬餌体上部に設けるテグス挿通用の貫通孔を二個以上とすることによって、上記課題の基本的な解決が可能であることを見出し、本発明に至った。すなわち、上記課題を解決するための手段として本願で特許請求される発明は、以下のとおりである。
【００１１】
（１）  下部に針体が固定された棒状の擬餌体の上半部および下半部にそれぞれ、テグスを挿通するための貫通孔が設けられてなるイカ釣針であって、該上半部に設けられる該貫通孔は二個以上であることを特徴とする、イカ釣針。
（２）  前記貫通孔は、上半部には二個、下半部には一個または二個設けられていることを特徴とする、（１）に記載のイカ釣針。
（３）  前記上半部の貫通孔は、前記擬餌体の上端部に設けられていることを特徴とする、（１）または（２）に記載のイカ釣針。
（４）  前記擬餌体下半部の貫通孔は、前記針体よりも上側に設けられていることを特徴とする、（１）ないし（３）のいずれかに記載のイカ釣針。
【００１２】
（５）  前記擬餌体中で前記針体の設けられる部位もしくはそれよりも端部側に、前記貫通孔を通されて該擬餌体外にあるテグスを遊びがある状態で通すことのできる遊挿部材が付設されていることを特徴とする、（４）に記載のイカ釣針。
（６）  前記遊挿部材は環状の部材であることを特徴とする、（５）に記載のイカ釣針。
【００１３】
（７）  一本のテグスが前記上半部の全ての貫通孔に挿通され、さらに前記下半部の全ての貫通孔に挿通されていることを特徴とする、（１）ないし（６）のいずれかに記載のイカ釣針。
（８）  前記テグスはその長さが１ｍ以上１０ｍ以下であることを特徴とする、（７）に記載のイカ釣針。
【発明の効果】
【００１４】
本発明のイカ釣針は上述のように構成されるため、これによれば、テグスを挿通させた棒状擬餌体を有するイカ釣針において、挿通されるテグスの固定作業にかかる労力・時間を削減することができる。また、巻き揚げ機による引き上げ作業の際の破損発生を防止ないしは相当低減することができる。
さらに、擬餌体にテグスを確実かつ容易に固定できるとともに、針間の間隔調節をも容易に行うことができる。
【発明を実施するための最良の形態】
【００１５】
以下、本発明を図面により詳細に説明する。
図１（ａ）、（ｂ）はいずれも、本発明のイカ釣針の構成を示す側面図である。
図１（ａ）において本イカ釣針は、下部に針体４が固定された棒状の擬餌体１の上半部および下半部にそれぞれ、テグスを挿通するための貫通孔部２、３が設けられてなり、該上半部に設けられる該貫通孔は二個以上であることを、主たる構成とする（上記（１）の発明）。図では該上半部の貫通孔は、２Ａ、２Ｂの二個であるが、最低二個が設けられればよいので、三個以上とすることも本発明の範囲内である。もっとも、二個をもって充分な効果を得ることができる。
【００１６】
図１（ａ）に示すイカ釣針では、該下半部の貫通孔部３（図では貫通孔は、３Ａ、３Ｂの二個）は該針体４よりも中央寄りに設けられた構成であるが、一方、図１（ｂ）に示すように、該針体４よりも先端側に設けた構成とすることもできる。つまり、該下半部の貫通孔部３の位置は、必ずしも限定されない。しかし後述するように、本体の破損防止効果を高めるために、特に図１（ａ）の構成を採ることができる。
【００１７】
これらの図において、本発明イカ釣針は上述のように構成されるため、テグスを該擬餌体１の上半部の貫通孔２Ａならびに２Ｂ等に通し、ついでこれを、該下半部の貫通孔３Ａに、もしくは３Ａ等に通すことができる。あるいはまた、先に下半部の貫通孔３Ａ等に、ついで上半部に設けられた二以上の貫通孔２Ａ等に通すこともできる。要するに、上半部および下半部それぞれに設けた各貫通孔２Ａ、２Ｂ、３Ａ等に一本のテグスが連続して挿通されることにより、いわば該イカ釣針を、その上半部および下半部においてテグスに固定し、繋ぎ止めることができ、それにより、イカ釣針が破損しても釣られたイカの流失を効果的に防止することができる。
【００１８】
そして、たとえば２Ａ、２Ｂの二個設けられた該上半部の貫通孔に、テグスが順に挿通されるだけで、挿通方向の転換と、ならびにテグスの両端部方向に働く反対方向の二力とがもたらすテグスと該貫通孔２Ａ等のエッジ部との間の摩擦作用によって、テグスを特に結着する必要なく、該擬餌体１に対するテグスの固定がなされる。
【００１９】
一方、テグス固定はこのように該貫通孔２Ａ等のエッジ部における摩擦作用によるものであり、結着によるものではないため、摩擦を解除する方向にテグスを緩めることによって、容易にテグス長手方向上の固定位置を移動することができ、もって、隣接する針との間の間隔を調節することが容易にできる。
【００２０】
かかる作用とそれにより得られる効果は、該上半部に設けることとする貫通孔を、図のように最低二個（２Ａ、２Ｂ）とすることで得られ、また、二個をもって充分な効果を得ることができる。
【００２１】
同様に、下半部においても複数の貫通孔３Ａ、３Ｂ等に順にテグスを通すだけで、上半部と同様のテグスの固定がなされる。したがって、上下双方においてかかるテグスの固定を行い、イカ釣針とテグスの相互繋ぎ止めの強度を大きくすることができる。もっとも、かかる固定のための挿通は、上半部の貫通孔２ａ、２Ｂ等のみにおいて行うこととすることもできる。この場合は、テグスの固定作業にかかる労力・時間を、さらに一層削減することができる。
【００２２】
二個以上の貫通孔２Ａ、２Ｂ等の孔の軸方向は必ずしも平行である必要はなく、特に限定されないが、このことに関わらず、相互に平行な軸を有し、貫通方向が同一の貫通孔を、本発明では好適に用いることができる。
【００２３】
図２（ａ）、（ｂ）はいずれも、下半部の貫通孔を一個のみとする本発明のイカ釣針の構成を示す側面図である。
図２（ａ）において前記貫通孔部２、３としては、上半部には２Ａ、２Ｂの二個の貫通孔を設けることとし、一方下半部には、３Ａもしくは３Ｂの一個、または３Ａならびに３Ｂの二個の貫通孔を設ける構成とする他は、図１（ａ）を用いて説明したイカ釣針と同様の構成であり、同様の作用を有する。
【００２４】
つまり本発明イカ釣針の構成としては、図示するように該上半部の貫通孔は最低二個２Ａ、２Ｂ、該下半部の貫通孔は最低一個３Ｃとすることにより、上述した結着不要のテグス固定効果、擬餌体１破損時の釣りイカ流失防止効果、さらに針間間隔（テグス長）の調節の容易化効果という本発明の各効果を得ることができる。
【００２５】
図２（ｂ）に示すように、該下半部の貫通孔１３Ｃ等は該針体４よりも先端側に設けることもできる。つまり、該下半部の貫通孔の位置は、必ずしも限定されない。しかし後述するように、本体の破損防止効果を高めるために、特に図２（ａ）の構成を採ることができる。
【００２６】
上述の各図に示されているように、該上半部の貫通孔２Ａ等は、前記擬餌体１の上端部に設ける構成とすることができる（上記（３）の発明）。
【００２７】
図３は、テグスを挿通させた、本発明イカ釣針の構成を示す側面図である。図において本イカ釣針は、上述した構成に加え、前記擬餌体１下半部の貫通孔が、前記針体４よりも上側、すなわち中央寄りに設けられた構成とすることができる（上記（４）の発明）。なお、本図のイカ釣針例は、前掲図１（ａ）の例と基本的に同一の構成である。また図においては、該擬餌体１上端部の該貫通孔２Ａ、２Ｂに順にテグス９が挿通され、これが該擬餌体１の周上に螺旋状に巻き付けられて下半部へ至り、該針体４よりも中央寄りに設けられた該貫通孔３Ａ、３Ｂに順に挿通された状態が示されている。
【００２８】
ところで、図示したテグス９の通し方は一例であり、本発明の使用方法がこれに限定されるものではない。たとえば、該貫通孔２Ａ、２Ｂへのテグス９の挿通順序を逆にする、該貫通孔３Ａ、３Ｂへのテグス９の挿通順序を逆にする等の使用方法も、採ることができる。
【００２９】
図において本発明イカ釣針は上述のように構成されるため、巻き揚げ機による引き上げ作業の際に負荷がかかる部位が中央寄りとなり、該擬餌体１破断のための破断強度が大きくなり、破損防止効果が大きくなる。また、該針体４から離れた中央寄りの部位においては、荷重に対する破断強度を大きくする設計の自由度も大きいため（下部先端部よりも太くする、厚くするなど）、そのような設計により、一層、破損防止効果が大きくなる。
【００３０】
該下半部の貫通孔を該針体よりも上部（中央寄り）とすることの作用効果について、さらに図を用いて説明する。
図４は、図１（ｂ）に例示したような貫通孔が針体よりも先端側に設けられた本発明イカ釣針と、巻き揚げ機ローラとの接触状態を示す説明図、
図５は、図１（ａ）に例示したような貫通孔が針体よりも先端側に設けられた本発明イカ釣針と、巻き揚げ機ローラとの接触状態を示す説明図である。
【００３１】
図４において、イカ釣針はこれにテグス９が挿通・巻回され、該テグス９は右上方に引かれ、したがって該擬餌体１は、該テグス９の引かれる右上方方向に力を受けている。一方該擬餌体１はローラ３０の周上に接触している。そして、該針体４よりも先端側に設けられた該貫通孔１３Ａ、１３Ｂを通ったテグス９は、釣りイカやオモリの荷重方向である下方に引かれ、したがって該擬餌体１は、該テグス９の引かれる下方方向に力を受けている。
【００３２】
図５においては、テグス９は該針体４よりも上部側に設けられた該貫通孔３Ａ、３Ｂを通って、釣りイカやオモリの荷重方向である下方に引かれ、したがって該擬餌体１は、該テグス９の引かれる下方方向に力を受けている。
【００３３】
図４の例では、該擬餌体１に下方方向の荷重が掛かる部位は、該ローラ３０との接触点からより離れており、したがってより小さな荷重で該擬餌体１を破断させることができる。一方、図５の例では、該擬餌体１に下方方向の荷重が掛かる部位は、該接触点により近く、したがって該擬餌体１を破断させるには、より大きな荷重が必要である。
【００３４】
すなわち、該下半部の貫通孔位置と該接触点となる位置の距離が相対的に短いほど、該擬餌体の破断にはより大きい荷重が必要であり、破断に対する強度が大きいといえる。したがって、該下半部の貫通孔を、該擬餌体上で所定の位置を占める該針体より先端側に設けるよりも、中央寄りに設けることによって、該擬餌体の破断強度が増し、イカ釣針の破損防止効果が高い。
【００３５】
図６は、遊挿部材を有する本発明イカ釣針の構成を示す、擬餌体軸端面方向からの側面図、
図７は、図６に示すイカ釣針と、巻き揚げ機ローラとの接触状態を示す説明図である。これらの図において本イカ釣針は、前記擬餌体１中で前記針体４の設けられる部位もしくはそれよりも端部側に、前記貫通孔３Ａ、３Ｂを通されて該擬餌体１外にあるテグス９を、遊びがある状態で通すことのできる遊挿部材５が付設されていることを特徴的な構成とする（上記（５）の発明）。
【００３６】
これらの図において該遊挿部材５は、環状の部材とすることができる（上記（６）の発明）。該部材としては、ステンレス鋼等の金属材料による硬質性のものを用いることも、テグス等による軟質性のものを用いることもできる。また、ここで「環状」とは、円形、略円形、または略円弧状のもののみならず、図示されるようなＶ字状のもの、あるいはまた三角形、略三角形状のものなどでもよい。要するに、該擬餌体１に取り付けられた状態で、その内部にテグスを挿通することのできる空間の形成された閉じられた線状図形を形成できるものであればよい。
【００３７】
また該遊挿部材５は、図に示されるように、該擬餌体１内を貫通させた状態で取り付けられるものとすることができるが、本発明はこれに限定されず、たとえば該擬餌体１の外周面に固設するなど、適宜の取付方法にて構成することができる。
【００３８】
図６、７において本イカ釣針は上述のように構成されるため、該貫通孔３Ａ、３Ｂを通されて該擬餌体１外に出た状態にあるテグス９は、該遊挿部材５の挿通可能な空間を遊びがある状態で通されて、本イカ釣針の外部へと出される。
【００３９】
かかる構成をとることにより、テグス９の浮遊する位置は該遊挿部材５による一定の規制を受ける。つまり、ある程度の遊びがある状態、かつ、たとえば前記針体４にテグス９が絡み付く現象が発生し得る程度にテグス９が自由に浮遊することが抑制される状態が得られる。それにより、テグス９の該針体４への絡み付きなど、不都合な事態の発生が防止できる。
【００４０】
以上説明した本発明イカ釣針は、前出図３等に示したように、これにテグス９が挿通されたものとして取り扱うこともできる。（上記（７）の発明）。その場合、原則としてテグス９の長さは限定されないが、たとえば長さ１５ｍのテグスにイカ釣針１０本を通した場合、テグス９の絡み合い現象が顕著となる場合があり、かかる場合の対処として、テグスの長さを１ｍ以上１０ｍ以下とすることができる（上記（８）の発明）。
【００４１】
また、かかる場合であっても、テグス９の長さを５ｍ程度とする場合には、テグスの絡み付きの問題を実質的に解消できるため、この長さをより限定し、３ｍ以上８ｍ以下としてもよい。より望ましくは、４ｍ以上６ｍ以下としてもよい。
【産業上の利用可能性】
【００４２】
本発明のイカ釣針は上述のように構成されているため、テグスを挿通させた棒状擬餌体を有するイカ釣針において、挿通されるテグスの固定作業にかかる労力・時間を削減することができる。また、巻き揚げ機による引き上げ作業の際の破損発生を防止ないしは相当低減することができる。
【００４３】
さらに、擬餌体にテグスを確実かつ容易に固定できるとともに、針間の間隔調整をも容易に行うことができ、さらに遊挿部材を取り付けた場合は針体等へのテグスの絡み付きを効果的に防止することもでき、産業上利用価値が高い発明である。
【図面の簡単な説明】
【００４４】
【図１（ａ）】本発明のイカ釣針の構成を示す側面図である。
【図１（ｂ）】本発明のイカ釣針の構成を示す側面図である。
【図２（ａ）】下半部の貫通孔を一個のみとする本発明のイカ釣針の構成を示す側面図である。
【図２（ｂ）】下半部の貫通孔を一個のみとする本発明のイカ釣針の構成を示す側面図である。
【図３】テグスを挿通させた、本発明イカ釣針の構成を示す側面図である。
【図４】図１（ｂ）に例示したような貫通孔が針体よりも先端側に設けられた本発明イカ釣針と、巻き揚げ機ローラとの接触状態を示す説明図である。
【図５】図１（ａ）に例示したような貫通孔が針体よりも先端側に設けられた本発明イカ釣針と、巻き揚げ機ローラとの接触状態を示す説明図である。
【図６】遊挿部材を有する本発明イカ釣針の構成を示す、擬餌体軸端面方向からの側面図である。
【図７】図６に示すイカ釣針と、巻き揚げ機ローラとの接触状態を示す説明図である。
【図８】引き上げ作業の状況を示す説明図である。
【符号の説明】
【００４５】
１…擬餌体
２、３…貫通孔部
２Ａ、２Ｂ…貫通孔
３Ａ、３Ｂ、３Ｃ、１３Ａ、１３Ｂ、１３Ｃ…貫通孔
４…針体
５…遊挿部材
９…テグス
３０…ローラ
５１…イカ釣針
５４…針体
５９…テグス
６０…巻き揚げ機
【図１（ａ）】
2005245237.tif 000003
【図１（ｂ）】
2005245237.tif 000004
【図２（ａ）】
2005245237.tif 000005
【図２（ｂ）】
2005245237.tif 000006
【図３】
2005245237.tif 000007
【図４】
2005245237.tif 000008
【図５】
2005245237.tif 000009
【図６】
2005245237.tif 000010
【図７】
2005245237.tif 000011
【図８】
2005245237.tif 000012